(57)【要約】  本願は、指紋採取機能を有する表示画面に適用される表示画面に基づく指紋採取制御方法及び関連装置を開示し、電子機器で生成した指紋採取トリガー命令をリアルタイムに検出することにより、該指紋採取トリガー命令を検出した場合に、かつその場合に限り、表示画面の予め設定された指紋採取領域を発光させるように制御し、かつ指紋センサが指紋画像を採取するようにトリガーし、指紋採取トリガー命令が存在しない場合、表示画面が影響を受けず、かつ指紋センサが非動作状態にあり、省エネルギーの目的を達成し、また、表示画面上の予め設定された指紋採取領域のみを指紋採取過程に用いるが、表示画面上の他の領域が指紋採取過程による影響を受けないように制御するため、表示画面の元の表示又は黒画面状態に影響しないだけでなく、ユーザが正確に指で押して指紋画像を正確かつ迅速に採取することを保証し、かつハードウェア統合コストを低減し、外観を簡潔化し、ユーザ体験を向上させることができる。
2018526702.tif 000002
【特許請求の範囲】
【請求項１】
少なくとも表示画面と、前記表示画面の予め設定された指紋採取領域の下方に取り付けられた指紋センサとを含む電子機器に適用される表示画面に基づく指紋採取制御方法であって、
ユーザ又はアプリケーションプログラムからの指紋採取トリガー命令を検出することと、
検出された前記指紋採取トリガー命令に基づいて、前記予め設定された指紋採取領域を発光させて指の表面を照らすように制御することと、
前記指紋センサが指紋画像を採取するようにトリガーすることとを含むことを特徴とする表示画面に基づく指紋採取制御方法。
【請求項２】
前記指紋採取トリガー命令は、
黒画面状態で、ユーザが前記電子機器の電源ボタン又はホームボタンを押したことを検出した場合に生成した第１の表示画面起動命令と、
黒画面状態で、タッチ感知装置がユーザが第１のタッチ操作を実行したことを検出した場合に生成した第２の表示画面起動命令と、
黒画面状態で、前記タッチ感知装置がユーザが第２のタッチ操作を実行したことを検出した場合に生成した表示画面起動及び身分認証命令と、
電子機器中のアプリケーションプログラムによって生成された身分認証命令とのうちの少なくとも一種を含み、
前記第１のタッチ操作は、前記表示画面を一回クリックすることと、前記表示画面を複数回連続でクリックすることと、前記表示画面を長時間タッチすることのうちのいずれか一種を含み、前記タッチ感知装置は、前記電子機器に設置されて、前記表示画面に対するユーザのタッチ操作を検出し、
前記第２のタッチ操作は、前記予め設定された指紋採取領域を一回クリックするか又は複数回連続でクリックすることと、前記予め設定された指紋採取領域を長時間タッチすることのうちのいずれか一種を含むことを特徴とする請求項１に記載の方法。
【請求項３】
検出された前記指紋採取トリガー命令に基づいて、前記予め設定された指紋採取領域を発光させるように制御することは、検出された前記指紋採取トリガー命令が前記表示画面起動及び身分認証命令又は前記身分認証命令であると、前記予め設定された指紋採取領域を高輝度光を発して指の表面を照らすように制御することを含むことを特徴とする請求項２に記載の方法。
【請求項４】
検出された前記指紋採取トリガー命令に基づいて、前記予め設定された指紋採取領域を発光させるように制御することは、
検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御することと、
前記タッチ感知装置を用いてユーザが前記予め設定された指紋採取領域を指で押したか否かを判断することと、
ユーザが前記予め設定された指紋採取領域を指で押したと判断すると、前記予め設定された指紋採取領域を高輝度光を発して指の表面を照らすように制御することとを含むことを特徴とする請求項２に記載の方法。
【請求項５】
前記予め設定された指紋採取領域を予め設定された提示アイコンを表示するように制御することは、
前記予め設定された指紋採取領域を前記予め設定された提示アイコンを静的に表示するように制御すること、又は前記予め設定された指紋採取領域を前記予め設定された提示アイコンを動的に表示するように制御することを含み、
前記予め設定された指紋採取領域を前記予め設定された提示アイコンを動的に表示するように制御することは、
前記予め設定された提示アイコンの輝度を動的に調整することと、
前記予め設定された指紋採取領域を様々な異なるタイプの予め設定された提示アイコンを順に表示するように制御することとのうちの少なくとも一種を含むことを特徴とする請求項４に記載の方法。
【請求項６】
前記予め設定された提示アイコンのタイプは、予め設定された図形、予め設定された画像及び予め設定された文字のうちの少なくとも一種を含むことを特徴とする請求項５に記載の方法。
【請求項７】
前記予め設定された指紋採取領域は、
表示画面の下部中間にあると共に仮想ボタン位置と重なる第１の領域と、
右手の親指の探索ホットエリア内の第２の領域と、
左手の親指の探索ホットエリア内の第３の領域と、
右手の親指の探索ホットエリアと左手の親指の探索ホットエリアの共通領域とのうちの少なくとも一種の位置を含み、
前記右手の親指の探索ホットエリアは、右手で機器を持つ場合に、右手の親指が自然に曲がって指の腹が画面にタッチした状態でタッチしやすい領域を示し、
前記左手の親指の探索ホットエリアは、左手で機器を持つ場合に、左手の親指が自然に曲がって指の腹が画面にタッチした状態でタッチしやすい領域を示すことを特徴とする請求項１に記載の方法。
【請求項８】
前記指紋センサによって採取された指紋画像が予め設定された品質基準を満たすか否かを判断することと、
前記指紋画像が前記予め設定された品質基準を満たさないと、予め設定された調整操作を実行すると共に、前記指紋センサが新しい指紋画像を採取するように再トリガーすることとをさらに含み、
前記予め設定された品質基準は、前記指紋画像の面積、輝度及びコントラストのうちの少なくとも一つが予め設定された範囲を満たすことを含み、
前記予め設定された調整操作を実行することは、
前記予め設定された指紋採取領域の画面輝度を調整することと、
前記指紋センサの露光時間を調整することと、
前記指紋センサの利得係数を調整することとのうちの少なくとも一つを含むことを特徴とする請求項１に記載の方法。
【請求項９】
さらに、前記指紋画像にマッチングする、予め設定されたテンプレートが存在するか否かを判断することと、
前記指紋画像にマッチングする、予め設定されたテンプレートが存在すると、前記電子機器が対応の予め設定された操作を実行するようにトリガーすることと、
前記指紋画像にマッチングする、予め設定されたテンプレートが存在しないと、マッチング失敗回数が予め設定された回数よりも小さいか否かを判断し、前記マッチング失敗回数が予め設定された回数よりも小さい場合、前記指紋センサが新しい指紋画像を採取するように再トリガーすることとを含むことを特徴とする請求項１に記載の方法。
【請求項１０】
少なくとも表示画面と、タッチ感知装置と、前記表示画面の予め設定された指紋採取領域の下方に取り付けられた指紋センサとを含む電子機器に適用される表示画面に基づく指紋採取制御装置であって、
プロセッサと、プロセッサが実行可能な命令を記憶するためのメモリとを含み、
前記プロセッサは、前記メモリに記憶された実行可能な命令を呼び出すと、請求項１〜９のいずれか一項に記載の表示画面に基づく指紋採取の制御方法を実行するように構成されることを特徴とする表示画面に基づく指紋採取制御装置。
【請求項１１】
少なくとも表示画面と、前記表示画面の予め設定された指紋採取領域の下方に取り付けられた指紋センサとを含む電子機器に適用される表示画面に基づく指紋採取制御装置であって、
ユーザ又はアプリケーションプログラムからの指紋採取トリガー命令を検出するトリガー命令検出手段と、
検出された前記指紋採取トリガー命令に基づいて、前記予め設定された指紋採取領域を発光させて指の表面を照らすように制御する採取領域制御手段と、
前記採取領域制御手段が前記予め設定された指紋採取領域を発光させるように制御した後、前記指紋センサが指紋画像を採取するようにトリガーする指紋採取トリガー手段とを含むことを特徴とする表示画面に基づく指紋採取制御装置。
【請求項１２】
前記トリガー命令検出手段によって検出された指紋採取トリガー命令は、
黒画面状態で、ユーザが前記電子機器の電源ボタン又はホームボタンを押したことを検出した場合に生成した第１の表示画面起動命令と、
黒画面状態で、タッチ感知装置がユーザが第１のタッチ操作を実行したことを検出した場合に生成した第２の表示画面起動命令と、
黒画面状態で、前記タッチ感知装置がユーザが第２のタッチ操作を実行したことを検出した場合に生成した表示画面起動及び身分認証命令と、
電子機器中のアプリケーションプログラムによって生成された身分認証命令とのうちの少なくとも一種を含み、
前記第１のタッチ操作は、前記表示画面を一回クリックすることと、前記表示画面を複数回連続でクリックすることと、前記表示画面を長時間タッチすることのうちのいずれか一種を含み、前記タッチ感知装置は、前記電子機器に設置されて、前記表示画面に対するユーザのタッチ操作を検出し、
前記第２のタッチ操作は、前記予め設定された指紋採取領域を一回クリックするか又は複数回連続でクリックすることと、前記予め設定された指紋採取領域を長時間タッチすることのうちのいずれか一種を含むことを特徴とする請求項１１に記載の装置。
【請求項１３】
前記採取領域制御手段は、
検出された前記指紋採取トリガー命令が前記表示画面起動及び身分認証命令又は前記身分認証命令であると、前記予め設定された指紋採取領域を高輝度光を発して指の表面を照らすように制御する第１の発光制御手段を含むことを特徴とする請求項１２に記載の装置。
【請求項１４】
前記採取領域制御手段は、
検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御する提示アイコン制御手段と、
前記予め設定された提示アイコンを表示した後、前記タッチ感知装置を用いてユーザが前記予め設定された指紋採取領域を指で押したか否かを判断する押し操作検出手段と、
ユーザが前記予め設定された指紋採取領域を指で押したと判断すると、前記予め設定された指紋採取領域を高輝度光を発して指の表面を照らすように制御する第２の発光制御手段とを含むことを特徴とする請求項１２に記載の装置。
【請求項１５】
前記提示アイコン制御手段は、提示アイコン静的制御手段及び提示アイコン動的制御手段を含み、
前記提示アイコン静的制御手段は、検出された前記指紋採取トリガー命令が前記第１の表示画面起動命令又は前記第２の表示画面起動命令であると、前記予め設定された指紋採取領域を前記予め設定された提示アイコンを静的に表示するように制御し、
前記提示アイコン動的制御手段は、検出された前記指紋採取トリガー命令が前記第１の表示画面起動命令又は前記第２の表示画面起動命令であると、前記予め設定された提示アイコンの輝度を動的に調整する方式と、前記予め設定された指紋採取領域を様々な異なるタイプの予め設定された提示アイコンを順に表示するように制御する方式とのうちのいずれか一種の方式で、前記予め設定された指紋採取領域を前記予め設定された提示アイコンを動的に表示するように制御することを特徴とする請求項１４に記載の装置。
【請求項１６】
前記表示画面上の予め設定された指紋採取領域は、
表示画面の下部中間にあると共に仮想ボタン位置と重なる第１の領域と、
右手の親指の探索ホットエリア内の第２の領域と、
左手の親指の探索ホットエリア内の第３の領域と、
右手の親指の探索ホットエリアと左手の親指の探索ホットエリアの共通領域とのうちの少なくとも一種の位置を含み、
前記右手の親指の探索ホットエリアは、右手で機器を持つ場合に、右手の親指が自然に曲がって指の腹が画面にタッチした状態でタッチしやすい領域を示し、
前記左手の親指の探索ホットエリアは、左手で機器を持つ場合に、左手の親指が自然に曲がって指の腹が画面にタッチした状態でタッチしやすい領域を示すことを特徴とする請求項１１に記載の装置。
【請求項１７】
前記指紋画像が予め設定された品質基準を満たすか否かを判断する画像品質検出手段と、
前記指紋画像が前記予め設定された品質基準を満たさないと、予め設定された調整操作を実行すると共に、前記指紋センサが指紋画像を採取するように再トリガーする制御パラメータ調整手段とをさらに含み、
前記予め設定された品質基準は、前記指紋画像の面積、輝度及びコントラストのうちの少なくとも一つが予め設定された範囲を満たすことを含み、
前記予め設定された調整操作を実行することは、
前記予め設定された指紋採取領域の画面輝度を調整することと、
前記指紋センサの露光時間を調整することと、
前記指紋センサの利得係数を調整することとのうちの少なくとも一つを含むことを特徴とする請求項１１に記載の装置。
【請求項１８】
前記指紋画像にマッチングする、予め設定されたテンプレートが存在するか否かを判断し、前記指紋画像にマッチングする、予め設定されたテンプレートが存在すると、前記電子機器が対応の予め設定された操作を実行するようにトリガーする指紋画像マッチング手段と、
前記指紋画像マッチング手段が前記指紋画像にマッチングする、予め設定されたテンプレートが存在しないと判断すると、マッチング失敗回数が予め設定された回数よりも小さいか否かを判断し、前記マッチング失敗回数が予め設定された回数よりも小さい場合、前記指紋センサが新しい指紋画像を採取するように再トリガーするマッチング失敗処理手段とをさらに含むことを特徴とする請求項１１に記載の装置。
【請求項１９】
表示画面と、タッチ感知装置と、前記表示画面の予め設定された指紋採取領域の下方に取り付けられた指紋センサと、請求項１０〜１８のいずれか一項に記載の表示画面に基づく指紋採取制御装置とを含む電子機器。
【発明の詳細な説明】
【技術分野】
【０００１】
本願は、２０１６年７月２５日に中国専利局に提出した、出願番号が２０１６１０５９４６００．４で、発明の名称が「表示画面に基づく指紋採取制御方法、装置及び電子機器」である中国特許出願の優先権を主張し、その全ての内容が引用により本願に組み込まれる。
【０００２】
本発明は、指紋採取の技術分野に関し、特に表示画面に基づく指紋採取制御方法、装置及び電子機器に関する。
【背景技術】
【０００３】
科学技術の発展と大衆の安全意識の向上に伴い、コンピュータと光学、音響学、生物学等のハイテク方法を緊密に結合し、人体に固有の生理的特性（例えば指紋、顔像、虹彩等）と行動特性（例えば筆跡、音声、歩容）を用いて、個人身分の識別を行うことは、大勢の赴くところになる。指紋識別技術は、簡単で実用的である等の利点により、携帯電話、ノートパソコン、タブレット等の様々な電子機器にますます広く適用されている。
【０００４】
指紋識別技術のキーポイントは、指紋採取である。従来の指紋採取装置は、一般的に独立装置として電子機器の背面、側面に設置され、或いは電子機器の正面のＨＯＭＥエンティティキーの下に隠れている。それに応じて、従来の指紋採取装置の制御方法も相対的に独立し、ユーザは、いつでも指を該指紋採取装置に捺印して、電子機器が指紋採取を完了するようにトリガーすることができる。
【０００５】
しかし、電子機器の集積化、超薄型化の発展動向に伴い、超薄型指紋採取部品を電子機器の表示画面の下に取り付けることにより、表示画面で指紋採取機能を実現することができ、電子機器の集積度を向上させ、電子機器をより薄型化することに役立つ。これに鑑みると、指紋採取部品を表示画面に集積する場合、上記相対的に独立した指紋採取制御方法も適用されないため、表示画面の元の表示機能に影響しない上で、該表示画面に基づいて指紋採取を行う過程において正確で効果的なヒューマンコンピューターインタラクションを保証し、ユーザ体験の好感度を向上させる新しい指紋採取制御方法を提供する必要がある。
【発明の開示】
【０００６】
本願は、指紋センサを表示画面の下方に集積した電子機器の指紋採取制御の問題を解決するために、表示画面に基づく指紋採取制御方法、装置及び電子機器を提供する。
【０００７】
本願の第１の態様は、少なくとも表示画面と、前記表示画面の予め設定された指紋採取領域の下方に取り付けられた指紋センサとを含む電子機器に適用される表示画面に基づく指紋採取制御方法であって、
ユーザ又はアプリケーションプログラムからの指紋採取トリガー命令を検出することと、
検出された前記指紋採取トリガー命令に基づいて、前記予め設定された指紋採取領域を発光させて指の表面を照らすように制御することと、
前記指紋センサが指紋画像を採取するようにトリガーすることとを含む、表示画面に基づく指紋採取制御方法を提供する。
【０００８】
第１の態様と組み合わせて、第１の態様の第１の実行可能な実施形態において、前記指紋採取トリガー命令は、
黒画面状態で、ユーザが前記電子機器の電源ボタン又はホームボタンを押したことを検出した場合に生成した第１の表示画面起動命令と、
黒画面状態で、タッチ感知装置がユーザが第１のタッチ操作を実行したことを検出した場合に生成した第２の表示画面起動命令と、
黒画面状態で、前記タッチ感知装置がユーザが第２のタッチ操作を実行したことを検出した場合に生成した表示画面起動及び身分認証命令と、
電子機器中のアプリケーションプログラムによって生成された身分認証命令とのうちの少なくとも一種を含み、
【０００９】
前記第１のタッチ操作は、前記表示画面を一回クリックすることと、前記表示画面を複数回連続でクリックすることと、前記表示画面を長時間タッチすることのうちのいずれか一種を含み、前記タッチ感知装置は、前記電子機器に設置されて、前記表示画面に対するユーザのタッチ操作を検出し、
前記第２のタッチ操作は、前記予め設定された指紋採取領域を一回クリックするか又は複数回連続でクリックすることと、前記予め設定された指紋採取領域を長時間タッチすることのうちのいずれか一種を含む。
【００１０】
第１の態様の第１の実行可能な実施形態に組み合わせて、第１の態様の第２の実行可能な実施形態において、検出された前記指紋採取トリガー命令に基づいて、前記予め設定された指紋採取領域を発光させるように制御することは、
検出された前記指紋採取トリガー命令が前記表示画面起動及び身分認証命令又は前記身分認証命令であると、前記予め設定された指紋採取領域を高輝度光を発して指の表面を照らすように制御することを含む。
第１の態様の第１の実行可能な実施形態に組み合わせて、第１の態様の第３の実行可能な実施形態において、検出された前記指紋採取トリガー命令に基づいて、前記予め設定された指紋採取領域を発光させるように制御することは、
検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御することと、
前記タッチ感知装置を用いてユーザが前記予め設定された指紋採取領域を指で押したか否かを判断することと、
ユーザが前記予め設定された指紋採取領域を指で押したと判断すると、前記予め設定された指紋採取領域を高輝度光を発して指の表面を照らすように制御することとを含む。
【００１１】
第１の態様の第３の実行可能な実施形態に組み合わせて、第１の態様の第４の実行可能な実施形態において、前記予め設定された指紋採取領域を予め設定された提示アイコンを表示するように制御することは、
前記予め設定された指紋採取領域を前記予め設定された提示アイコンを静的に表示するように制御すること、又は前記予め設定された指紋採取領域を前記予め設定された提示アイコンを動的に表示するように制御することを含み、
前記予め設定された指紋採取領域を前記予め設定された提示アイコンを動的に表示するように制御することは、
前記予め設定された提示アイコンの輝度を動的に調整することと、
前記予め設定された指紋採取領域を様々な異なるタイプの予め設定された提示アイコンを順に表示するように制御することとのうちの少なくとも一種を含む。
【００１２】
第１の態様の第４の実行可能な実施形態に組み合わせて、第１の態様の第５の実行可能な実施形態において、前記予め設定された提示アイコンのタイプは、予め設定された図形、予め設定された画像及び予め設定された文字のうちの少なくとも一種を含む。
第１の態様、第１の態様の第１の実行可能な実施形態、第１の態様の第２の実行可能な実施形態、第１の態様の第３の実行可能な実施形態、第１の態様の第４の実行可能な実施形態、又は第１の態様の第５の実行可能な実施形態に組み合わせて、第１の態様の第６の実行可能な実施形態において、前記予め設定された指紋採取領域は、
表示画面の下部中間にあると共に仮想ボタンの位置と重なる第１の領域と、
右手の親指の探索ホットエリア内の第２の領域と、
左手の親指の探索ホットエリア内の第３の領域と、
右手の親指の探索ホットエリアと左手の親指の探索ホットエリアの共通領域とのうちの少なくとも一種の位置を含み、
前記右手の親指の探索ホットエリアは、右手で機器を持つ場合に、右手の親指が自然に曲がって指の腹が画面にタッチした状態でタッチしやすい領域を示し、
前記左手の親指の探索ホットエリアは、左手で機器を持つ場合に、左手の親指が自然に曲がって指の腹が画面にタッチした状態でタッチしやすい領域を示す。
【００１３】
第１の態様、第１の態様の第１の実行可能な実施形態、第１の態様の第２の実行可能な実施形態、第１の態様の第３の実行可能な実施形態、第１の態様の第４の実行可能な実施形態、又は第１の態様の第５の実行可能な実施形態に組み合わせて、第１の態様の第７の実行可能な実施形態において、前記方法は、さらに、
前記指紋センサによって採取された指紋画像が予め設定された品質基準を満たすか否かを判断することと、
前記指紋画像が前記予め設定された品質基準を満たさないと、予め設定された調整操作を実行すると共に、前記指紋センサが新しい指紋画像を採取するように再トリガーすることとを含み、
前記予め設定された品質基準は、前記指紋画像の面積、輝度及びコントラストのうちの少なくとも一つが予め設定された範囲を満たすことを含み、
前記予め設定された調整操作を実行することは、
前記予め設定された指紋採取領域の画面輝度を調整することと、
前記指紋センサの露光時間を調整することと、
前記指紋センサの利得係数を調整することとのうちの少なくとも一つを含む。
【００１４】
第１の態様、第１の態様の第１の実行可能な実施形態、第１の態様の第２の実行可能な実施形態、第１の態様の第３の実行可能な実施形態、第１の態様の第４の実行可能な実施形態、又は第１の態様の第５の実行可能な実施形態に組み合わせて、第１の態様の第８の実行可能な実施形態において、前記方法は、さらに、
前記指紋画像にマッチングする、予め設定されたテンプレートが存在するか否かを判断することと、
前記指紋画像にマッチングする、予め設定されたテンプレートが存在すると、前記電子機器が対応の予め設定された操作を実行するようにトリガーすることと、
前記指紋画像にマッチングする、予め設定されたテンプレートが存在しないと、マッチング失敗回数が予め設定された回数よりも小さいか否かを判断し、前記マッチング失敗回数が予め設定された回数よりも小さい場合、前記指紋センサが新しい指紋画像を採取するように再トリガーすることとを含む。
【００１５】
本願の第２の態様は、
少なくとも表示画面と、タッチ感知装置と、前記表示画面の予め設定された指紋採取領域の下方に取り付けられた指紋センサとを含む電子機器に適用される表示画面に基づく指紋採取制御装置であって、
プロセッサと、プロセッサが実行可能な命令を記憶するためのメモリとを含み、
前記プロセッサは、前記メモリに記憶された実行可能な命令を呼び出すと、上記第１の態様のいずれか一項に記載の表示画面に基づく指紋採取制御方法を実行するように構成される、表示画面に基づく指紋採取制御装置を提供する。
【００１６】
本願の第３の態様は、
少なくとも表示画面と、前記表示画面の予め設定された指紋採取領域の下方に取り付けられた指紋センサとを含む電子機器に適用される表示画面に基づく指紋採取制御装置であって、
ユーザ又はアプリケーションプログラムからの指紋採取トリガー命令を検出するトリガー命令検出手段と、
検出された前記指紋採取トリガー命令に基づいて、前記予め設定された指紋採取領域を発光させて指の表面を照らすように制御する採取領域制御手段と、
前記採取領域制御手段が前記予め設定された指紋採取領域を発光させるように制御した後、前記指紋センサが指紋画像を採取するようにトリガーする指紋採取トリガー手段とを含む、表示画面に基づく指紋採取制御装置を提供する。
【００１７】
第３の態様に組み合わせて、第３の態様の第１の実行可能な実施形態において、前記トリガー手段検出手段によって検出された指紋採取トリガー命令は、
黒画面状態で、ユーザが前記電子機器の電源ボタン又はホームボタンを押したことを検出した場合に生成した第１の表示画面起動命令と、
黒画面状態で、タッチ感知装置がユーザが第１のタッチ操作を実行したことを検出した場合に生成した第２の表示画面起動命令と、
黒画面状態で、前記タッチ感知装置がユーザが第２のタッチ操作を実行したことを検出した場合に生成した表示画面起動及び身分認証命令と、
電子機器中のアプリケーションプログラムによって生成された身分認証命令とのうちの少なくとも一種を含み、
前記第１のタッチ操作は、前記表示画面を一回クリックすることと、前記表示画面を複数回連続でクリックすることと、前記表示画面を長時間タッチすることのうちのいずれか一種を含み、前記タッチ感知装置は、前記電子機器に設置されて、前記表示画面に対するユーザのタッチ操作を検出し、
前記第２のタッチ操作は、前記予め設定された指紋採取領域を一回クリックするか又は複数回連続でクリックすることと、前記予め設定された指紋採取領域を長時間タッチすることのうちのいずれか一種を含む。
【００１８】
第３の態様の第１の実行可能な実施形態に組み合わせて、第３の態様の第２の実行可能な実施形態において、前記採取領域制御手段は、
検出された前記指紋採取トリガー命令が前記表示画面起動及び身分認証命令又は前記身分認証命令であると、前記予め設定された指紋採取領域を高輝度光を発して指の表面を照らすように制御する第１の発光制御手段を含む。
【００１９】
第３の態様の第１の実行可能な実施形態に組み合わせて、第３の態様の第３の実行可能な実施形態において、前記採取領域制御手段は、
検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御する提示アイコン制御手段と、
前記予め設定された提示アイコンを表示した後に、前記タッチ感知装置を用いてユーザが前記予め設定された指紋採取領域を指で押したか否かを判断する押し操作検出手段と、
ユーザが前記予め設定された指紋採取領域を指で押したと判断すると、前記予め設定された指紋採取領域を高輝度光を発して指の表面を照らすように制御する第２の発光制御手段とを含む。
【００２０】
第３の態様の第３の実行可能な実施形態に組み合わせて、第３の態様の第４の実行可能な実施形態において、前記提示アイコン制御手段は、提示アイコン静的制御手段及び提示アイコン動的制御手段を含み、
前記提示アイコン静的制御手段は、検出された前記指紋採取トリガー命令が前記第１の表示画面起動命令又は前記第２の表示画面起動命令であると、前記予め設定された指紋採取領域を前記予め設定された提示アイコンを静的に表示するように制御し、
前記提示アイコン動的制御手段は、検出された前記指紋採取トリガー命令が前記第１の表示画面起動命令又は前記第２の表示画面起動命令であると、前記予め設定された提示アイコンの輝度を動的に調整する方式と、前記予め設定された指紋採取領域を様々な異なるタイプの予め設定された提示アイコンを順に表示するように制御する方式とのうちのいずれか一種の方式で、前記予め設定された指紋採取領域を前記予め設定された提示アイコンを動的に表示するように制御する。
【００２１】
第３の態様、第３の態様の第１の実行可能な実施形態、第３の態様の第２の実行可能な実施形態、第３の第３の実行可能な実施形態、又は第３の態様の第４の実行可能な実施形態に組み合わせて、第３の態様の第５の実行可能な実施形態において、前記表示画面上の予め設定された指紋採取領域は、
表示画面の下部中間にあると共に仮想ボタン位置と重なる第１の領域と、
右手の親指の探索ホットエリア内の第２の領域と、
左手の親指の探索ホットエリア内の第３の領域と、
右手の親指の探索ホットエリアと左手の親指の探索ホットエリアの共通領域とのうちの少なくとも一種の位置を含み、
前記右手の親指の探索ホットエリアは、右手で機器を持つ場合に、右手の親指が自然に曲がって指の腹が画面にタッチした状態でタッチしやすい領域を示し、
前記左手の親指の探索ホットエリアは、左手で機器を持つ場合に、左手の親指が自然に曲がって指の腹が画面にタッチした状態でタッチしやすい領域を示す。
【００２２】
第３の態様、第３の態様の第１の実行可能な実施形態、第３の態様の第２の実行可能な実施形態、第３の第３の実行可能な実施形態、又は第３の態様の第４の実行可能な実施形態に組み合わせて、第３の態様の第６の実行可能な実施形態において、前記装置は、さらに、
前記指紋画像が予め設定された品質基準を満たすか否かを判断する画像品質検出手段と、
前記指紋画像が前記予め設定された品質基準を満たさないと、予め設定された調整操作を実行すると共に、前記指紋センサが指紋画像を採取するように再トリガーする制御パラメータ調整手段とを含み、
前記予め設定された品質基準は、前記指紋画像の面積、輝度及びコントラストのうちの少なくとも一つが予め設定された範囲を満たすことを含み、
前記予め設定された調整操作を実行することは、
前記予め設定された指紋採取領域の画面輝度を調整することと、
前記指紋センサの露光時間を調整することと、
前記指紋センサの利得係数を調整することとのうちの少なくとも一つを含む。
【００２３】
第３の態様、第３の態様の第１の実行可能な実施形態、第３の態様の第２の実行可能な実施形態、第３の第３の実行可能な実施形態、又は第３の態様の第４の実行可能な実施形態に組み合わせて、第３の態様の第７の実行可能な実施形態において、前記装置は、さらに、
前記指紋画像にマッチングする、予め設定されたテンプレートが存在するか否かを判断し、前記指紋画像にマッチングする、予め設定されたテンプレートが存在すると、前記電子機器が対応の予め設定された操作を実行するようにトリガーする指紋画像マッチング手段と、
前記指紋画像マッチング手段が前記指紋画像にマッチングする、予め設定されたテンプレートが存在しないと判断すると、マッチング失敗回数が予め設定された回数よりも小さいか否かを判断し、前記マッチング失敗回数が予め設定された回数よりも小さい場合、前記指紋センサが新しい指紋画像を採取するように再トリガーするマッチング失敗処理手段とを含む。
【００２４】
本願の第４の態様は、表示画面と、タッチ感知装置と、前記表示画面の予め設定された指紋採取領域の下方に取り付けられた指紋センサと、上記いずれか一項に記載の表示画面に基づく指紋採取制御装置とを含む電子機器を提供する。
以上の技術的解決手段から分かるように、本願の実施例は、指紋採取トリガー命令を検出する場合、即ち指紋採取を実行する必要のある場合に、かつその場合に限り、表示画面の予め設定された指紋採取領域を発光させるように制御し、かつ指紋センサが正常な動作状態に入るようにトリガーし、それに応じて、指紋採取トリガー命令が存在しないと、該予め設定された採取領域は、表示画面の他の領域と同様に黒画面状態にあるか又は現在のプログラムインタフェースを表示することができ、指紋センサは、非動作状態にあり、指紋採取機能によって消費された電子機器の電気量をできるだけ低減してもよく、同時に、本願の実施例の制御下で、表示画面上の予め設定された指紋採取領域のみが指紋採取過程に用いられるが、表示画面上の予め設定された採取領域以外の他の領域は、指紋採取過程による影響を受けず、依然として現在のシーンの表示ニーズに応じて、表示するか又は黒画面状態を維持し、即ち表示画面に基づく指紋採取過程において表示画面の元の表示又は黒画面状態に影響しないだけでなく、ユーザが正確に指で押すことを保証することにより、表示画面に基づく指紋採取過程において正確なヒューマンコンピューターインタラクションを保証し、指紋画像を正確で迅速に採取することができるため、超薄型指紋センサを表示画面の下方に集積するというハードウェア構造の正常な動作を可能にし、かつ、ハードウェア統合コストを低減し、電子機器の外観を簡潔化し、ユーザ体験を向上させることができる。
【００２５】
以上の一般的な説明と以下の詳細な説明は、例示及び説明に過ぎず、本願を限定するものではないと理解すべきである。
【図面の簡単な説明】
【００２６】
ここでの図面は、明細書に組み込まれて本明細書の一部を構成し、本願に合致する実施例を示し、かつ明細書と共に本願の原理を説明する。
【図１Ａ】本願の実施例に係る電子機器中の表示画面及び指紋センサの斜視図である。
【図１Ｂ】本願の実施例に係る電子機器中の表示画面及び指紋センサの断面図である。
【図２】本願の実施例に係る表示画面に基づく指紋採取制御方法の流れ図である。
【図３】本願の実施例に係る指紋採取原理の概略図である。
【図４Ａ】本願の実施例に係る表示画面上の予め設定された指紋採取領域の好ましい位置の概略図である。
【図４Ｂ】本願の実施例に係る表示画面上の予め設定された指紋採取領域の好ましい位置の概略図である。
【図４Ｃ】本願の実施例に係る表示画面上の予め設定された指紋採取領域の好ましい位置の概略図である。
【図４Ｄ】本願の実施例に係る表示画面上の予め設定された指紋採取領域の好ましい位置の概略図である。
【図４Ｅ】本願の実施例に係る表示画面上の予め設定された指紋採取領域の好ましい位置の概略図である。
【図５】本願の実施例に係る他の表示画面に基づく指紋採取制御方法の流れ図である。
【図６】本願の実施例に係る予め設定された提示アイコンを動的に表示するインタフェースの概略図である。
【図７】本願の実施例に係る他の表示画面に基づく指紋採取制御方法の流れ図である。
【図８】本願の実施例に係る他の表示画面に基づく指紋採取制御方法の流れ図である。
【図９】本願の実施例に係る表示画面に基づく指紋採取制御装置の構成ブロック図である。
【図１０】本願の実施例に係る他の表示画面に基づく指紋採取制御装置の構成ブロック図である。
【図１１】本願の実施例に係る他の表示画面に基づく指紋採取制御装置の構成ブロック図である。
【図１２】本願の実施例に係る他の表示画面に基づく指紋採取制御装置の構成ブロック図である。
【発明を実施するための形態】
【００２７】
ここで、例示的な実施例を詳細に説明し、その例は図面に示される。以下の説明は図面に関わる場合、別に示されない限り、異なる図面中の同じ数字は、同じ又は類似な要素を示す。以下の例示的な実施例において説明される実施形態は、本願に合致する全ての実施形態を代表しない。逆に、それらは添付の特許請求の範囲に詳細に説明されるような本願のいくつかの態様に合致する装置及び方法の例に過ぎない。
本願の実施例は、電子機器に適用される表示画面に基づく指紋採取制御方法の流れ図を提供し、図１Ａの電子機器の斜視図及び図１Ｂの電子機器の断面図に示すように、該電子機器は、少なくとも表示画面１０１（Ｄｉｓｐｌａｙ  Ｓｃｒｅｅｎ）及び指紋センサ１０２（Ｆｉｎｇｅｒｐｒｉｎｔ  Ｓｅｎｓｏｒ）を含み、かつ表示画面１０１に指紋採取領域が予め設定され、指紋センサ１０２は、該予め設定された指紋採取領域の下方に設置されている。図２は、本願の実施例に係る表示画面に基づく指紋採取制御方法の流れ図を示す。
【００２８】
図１Ａ、図１Ｂ及び図２を参照すると、該表示画面に基づく指紋採取制御方法は、以下のステップを含む。
Ｓ１、ユーザ又はアプリケーションプログラムからの指紋採取トリガー命令を検出する。
【００２９】
本願の実施例において、前記指紋採取トリガー命令は、電子機器がユーザの指紋を採取する必要があることを示し、異なる適用シーンに応じて、該指紋採取トリガー命令は、ユーザの操作によってトリガーされて生成され、例えば、表示画面１０１が黒画面状態にある場合、ユーザが電子機器の電源ボタンを押すと、ユーザが該表示画面を起動しかつアンロックするという要求があることを示すため、この時に指紋採取トリガー命令を生成して、後続のステップを起動して、該表示画面のアンロックに必要なユーザの指紋画像を採取し、また、電子機器に実行されているアプリケーションプログラムによってトリガーされて生成されてもよく、例えば、ユーザがあるアプリケーションプログラムを介してオンライン決済する場合、該アプリケーションプログラムは、ユーザ指紋に基づいてユーザの身分を認証する必要があるため、対応する指紋採取トリガー命令を生成して、後続のステップを起動して、身分認証に必要なユーザ指紋画像を採取する。
【００３０】
Ｓ２、検出された前記指紋採取トリガー命令に基づいて、前記表示画面の予め設定された指紋採取領域を発光させて指の表面を照らすように制御する。
Ｓ３、前記指紋センサが指紋画像を採取するようにトリガーする。
本願の実施例において、指紋採取トリガー命令を検出した後、表示画面１０１の予め設定された指紋採取領域を発光させてユーザの指の表面を照らすように制御し、光線が指で反射して予め設定された指紋採取領域の下方の指紋センサ１０２に入射し、かつ指紋センサ１０２により反射光線をデジタル画像信号に最終的に変換し、即ちユーザ指紋画像を取得する。
【００３１】
具体的には、図３の指紋採取原理の概略図を参照すると、上記指紋採取命令を検出すると、図３の実線矢印に示すように、表示画面の予め設定された指紋採取領域の駆動回路を制御することにより、対応する表示ピクセルを発光させるように駆動し、また、表示ピクセルから発した光線は、表示画面のカバープレートを透過して指の表面に照射し、指の凸凹な指紋に乱反射して、図３の破線矢印に示される反射光線を取得し、これらの反射光線は、表示画面のカバープレート、表示ピクセル及びその駆動回路層、基板を順に透過して、指紋センサに照射し、指紋センサは、これらの反射光線に基づいて対応する指紋画像を生成することができる。指の反射光線が指紋センサ１０２に順調に入射することを保証するために、表示画面１０１上の予め設定された指紋採取領域のカバープレート及び基板は、いずれも透明な材料であり、或いは光透過孔が設置されている。
【００３２】
また、本願の実施例では、指紋採取トリガー命令を検出した後、表示画面１０１の予め設定された指紋採取領域を発光させてユーザに指で押す位置を提示するように制御することにより、ユーザの指紋画像を迅速かつ正確に採取することを保証することができる。
以上の技術的解決手段から分かるように、本願の実施例は、指紋採取トリガー命令を検出する場合、即ち指紋採取を実行する必要のある場合に、かつその場合に限り、表示画面の予め設定された指紋採取領域を発光させるように制御し、かつ指紋センサが正常な動作状態に入るようにトリガーし、それに応じて、指紋採取トリガー命令が存在しないと、該予め設定された採取領域は、表示画面の他の領域と同様に黒画面状態にあるか又は現在のプログラムインタフェースを表示することができ、指紋センサは、非動作状態にあり、指紋採取機能によって消費された電子機器の電気量をできるだけ低減してもよく、同時に、本願の実施例の制御下で、表示画面上の予め設定された指紋採取領域のみが指紋採取過程に用いられるが、表示画面上の予め設定された採取領域以外の他の領域は、指紋採取過程による影響を受けず、依然として現在のシーンの表示ニーズに応じて、表示するか又は黒画面状態を維持し、即ち表示画面に基づく指紋採取過程において表示画面の元の表示又は黒画面状態に影響しないだけでなく、ユーザが正確に指で押すことを保証することにより、表示画面に基づく指紋採取過程において正確なヒューマンコンピューターインタラクションを保証し、指紋画像を正確で迅速に採取することができるため、超薄型指紋センサを表示画面の下方に集積するというハードウェア構造の正常な動作を可能にし、かつ、ハードウェア統合コストを低減し、電子機器の外観を簡潔化し、ユーザ体験を向上させることができる。
【００３３】
好ましくは、上記予め設定された指紋採取領域は、
図４Ａに示すように、表示画面の下部中間にあると共に仮想ボタンの位置と重なる第１の領域と、
図４Ｂに示すように、右手の親指の探索ホットエリア内の第２の領域と、
図４Ｃに示すように、左手の親指の探索ホットエリア内の第３の領域と、
図４Ｄに示すように、右手の親指の探索ホットエリアと左手の親指の探索ホットエリアの共通領域と、
のような表示画面の領域を含むが、これらに限定されず、前記右手の親指の探索ホットエリアは、右手で機器を持つ場合に、右手の親指が自然に曲がって指の腹が画面にタッチした状態でタッチしやすい領域を示し、前記左手の親指の探索ホットエリアは、左手で機器を持つ場合に、左手の親指が自然に曲がって指の腹が画面にタッチした状態でタッチしやすい領域を示す。
【００３４】
より正確に、電子機器の表示画面を複数の矩形領域に分けて、隣接した複数の矩形領域の組み合わせにより前記予め設定された指紋採取領域を定量的に示し、図４Ｅに示すように、表示画面を１６×９の矩形配列に分け、陰影で示される横方向の符号Ｃ〜Ｇと縦方向の符号０４〜０８の第１の指紋採取領域、横方向の符号Ｄ〜Ｆと縦方向の符号００〜０３の第２の指紋採取領域を、前記予め設定された指紋採取領域として選定する。
前記のように、異なる適用シーンに応じて、本願の実施例に係る指紋採取トリガー命令の由来及び具体的な形式は異なってもよく、好ましくは、上記指紋採取トリガー命令は、以下の四種類を含むが、これらに限定されない。
【００３５】
１）黒画面状態で、ユーザが前記電子機器の電源ボタン又はホームボタンを押したことを検出した場合に生成した第１の表示画面起動命令。
本願の実施例に係る指紋採取制御方法は、表示画面のアンロックシーンに適用され、それに応じて、電源ボタン又はホームボタン（即ちＨｏｍｅボタン）により表示画面を起動する必要がある電子機器に対して、ユーザが電子機器の電源ボタン又はホームボタンに押下等のタッチ操作を行うと、電子機器は、該タッチ操作に基づいて第１の表示画面起動命令を生成する。表示画面が起動された後に、ユーザの次の操作は表示画面のアンロックである可能性が非常に大きいため、本願の実施例において上記第１の表示画面起動命令を指紋採取トリガー命令として、表示画面のアンロックに準備をする。
本願の実施例において、電子機器には、さらに、前記表示画面に対するユーザのタッチ操作を検出するタッチ感知装置が設置され、該タッチ感知装置が表示画面の黒画面状態でも動作状態を維持することにより、ユーザは、表示画面の任意の領域をクリックして電子機器の表示画面を起動する。
【００３６】
２）黒画面状態で、前記タッチ感知装置がユーザが第１のタッチ操作を実行したことを検出した場合に生成した第２の表示画面起動命令。
上記第１のタッチ操作は、前記表示画面を一回クリックすることと、前記表示画面を複数回連続でクリックすることと、前記表示画面を長時間タッチすることのうちのいずれか一種を含む。即ち、上記タッチセンサが設置された電子機器に基づいて、本願の実施例に係る指紋採取制御方法が表示画面のアンロックシーンに適用されると、黒画面状態で、電子機器のタッチ感知装置を用いてユーザが第１のタッチ操作を実行したか否かを検出し、かつユーザが前記第１のタッチ操作を実行したことを検出した場合に、前記第２の表示画面起動命令を生成する。表示画面が起動された後に、ユーザの次の操作は表示画面のアンロックである可能性が非常に大きいため、本願の実施例において、上記第１の表示画面起動命令を指紋採取トリガー命令として、表示画面のアンロックに準備をする。
【００３７】
３）黒画面状態で、前記タッチ感知装置がユーザが第２のタッチ操作を実行したことを検出した場合に生成した表示画面起動及び身分認証命令。
上記第２のタッチ操作は、表示画面の予め設定された指紋採取領域を一回クリックするか又は複数回連続でクリックすることと、前記予め設定された指紋採取領域を長時間タッチすることのうちのいずれか一種を含む。上記第１のタッチ操作に対応するタッチ領域が表示画面の任意の領域であるとは異なり、上記第２のタッチ操作に対応するタッチ領域は、表示画面上の予め設定された指紋採取領域のみを含む。
【００３８】
４）電子機器中のアプリケーションプログラムによって生成された身分認証命令。
電子機器のアプリケーションプログラムは、ユーザと対話する過程において、ユーザ情報のセキュリティを保証するために、あるアプリケーションプログラムにおいてユーザがアカウントをログインするか、又はオンラン決済するように要求されると、ユーザに身分認証を行う必要があるため、本願の実施例において、該アプリケーションプログラムが生成した身分認証命令を指紋採取トリガー命令として、採取された指紋画像を用いて身分認証を行う。
【００３９】
上記異なるタイプの指紋採取トリガー命令（即ち上記第１の表示画面起動命令、第２の表示画面起動命令、表示画面起動及び身分認証命令、身分認証命令）に基づいて、本願の実施例は、図５の流れ図に示すような他の表示画面に基づく指紋採取制御方法を提供し、該実施例において、異なるタイプの指紋採取トリガー命令に対応する適用シーンが異なるため、後続の指紋採取制御ステップも異なる。図５を参照すると、該指紋採取制御方法は、以下のステップを含む。
【００４０】
Ｓ１、ユーザ又はアプリケーションプログラムからの指紋採取トリガー命令を検出し、かつ前記指紋採取トリガー命令のタイプに応じて下記ステップＳ２１又はＳ２２１を選択して実行する。
Ｓ２１、検出された前記指紋採取トリガー命令が前記表示画面起動及び身分認証命令又は前記身分認証命令であると、前記予め設定された指紋採取領域を高輝度光を発して指の表面を照らすように制御し、かつステップＳ３を実行する。
【００４１】
上記表示画面起動及び身分認証命令に対応する適用シーンは、黒画面状態で、ユーザが表示画面の予め設定された指紋採取領域に連続クリック、長時間タッチ等の操作を実行することであり、この時にユーザが表示画面上の予め設定された指紋採取領域の正確な位置が分かり、かつその実際の要求が表示画面のアンロックであることを示すため、本実施例は、この場合に予め設定された指紋採取領域を高輝度光を発してユーザの指の表面を照らすように直接制御し、さらに、下記ステップＳ２３により指紋センサが指の反射光線に基づいてユーザの指の指紋画像を生成するようにトリガーする。
【００４２】
アプリケーションプログラムによって生成された上記身分認証命令に対して、その対応する適用シーンがアプリケーションプログラムとユーザとの対話過程におけるアカウントログイン、オンラン決済等であり、その直接的目的がユーザの指紋画像を採取して身分認証を行うことであるため、本実施例は、この場合に予め設定された指紋採取領域を高輝度光を発するように直接制御し、かつ下記ステップＳ３によりユーザの指の指紋画像を迅速に採取する。
【００４３】
Ｓ２２１、検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御する。
Ｓ２２２、前記タッチ感知装置を用いてユーザが前記予め設定された指紋採取領域を指で押したか否かを判断する。
Ｓ２２３、ユーザが前記予め設定された指紋採取領域を指で押したと判断すると、前記予め設定された指紋採取領域を高輝度光を発して指の表面を照らすように制御する。
【００４４】
上記第１の表示画面起動命令に対応する適用シーンは、黒画面状態で、ユーザが電源ボタン又はホームボタンを押すことであり、第２の表示画面起動命令に対応する適用シーンは、黒画面状態で、ユーザが表示画面の任意の領域に一回クリック、複数回連続クリック又は長時間タッチ等の操作を実行することである。この二種の適用シーンで、ユーザの直接的目的は、表示画面を起動して、時間をチェックするか、又は新しい通知メッセージ等があるか否かをチェックすることだけであり、該ユーザが表示画面を継続してアンロックする必要があるか否かを決定できないため、本実施例は、この場合に、まずステップＳ２２１により予め設定された指紋採取領域で予め設定された提示アイコンを表示して、ユーザに該予め設定された提示アイコンの表示位置を指で押すように提示し、次にステップＳ２２２によりユーザが指で押しているか否かを検出し、そうであれば、ユーザが指紋認証により表示画面をアンロックするニーズがあることを示すため、ステップＳ２２３及び下記ステップＳ３を継続して実行することができ、逆に、ステップＳ２２２でユーザが指で押すことを検出しないと、ユーザが表示画面をアンロックするニーズがないことを示すため、後続のステップを実行する必要がない。
【００４５】
Ｓ３、前記指紋センサが指紋画像を採取するようにトリガーする。
以上の方法ステップから分かるように、本実施例を適用すると、ユーザは、黒画面状態で、表示画面の任意の領域に一回クリック、複数回連続クリック又は長時間タッチ等の操作を実行するか、又は電源ボタン／ホームボタンを押すことにより、表示画面を起動すると共に、表示画面が予め設定された提示アイコンにより指で押す位置を指示して、ユーザがさらに表示画面をアンロックするのに便利さを提供し、指紋採取過程を起動し、表示画面のアンロックに準備をする。また、本実施例を適用すると、ユーザは、表示画面上の予め設定された指紋採取領域の正確な位置が分かるという前提の下で、黒画面状態での表示画面の予め設定された指紋採取領域に複数回連続クリック、長時間タッチ等の操作を実行することにより、指紋採取機能（予め設定された指紋採取領域を高輝度光を発するように制御することと、指紋センサが指紋画像を採取するようにトリガーすることとを含む）を直接起動して、指紋採取を迅速に完了し、或いは、アプリケーションプログラムが身分認証命令を生成する場合にも、指紋採取機能を直接起動して、指紋採取を迅速に完了して、指紋画像に基づく身分認証過程が順調かつ迅速に完了することを保証する。
【００４６】
従って、本願の実施例は、異なるタイプの指紋採取トリガー命令に基づいて、異なる適用シーンでの指紋採取過程に異なる制御方法を採用し、ユーザが指紋により表示画面をアンロックする必要があるか否かを決定できない場合、まず、予め設定された指紋採取領域を予め設定された提示アイコンを表示するように制御し、指紋採取過程に必要な高輝度光に対して、予め設定された提示アイコンの表示によって消費された電気量がより低く、かつ眩しくないため、電子機器の電気エネルギーを消費し過ぎることはないという前提の下で、ユーザに指で押す位置を指示し、また、指紋採取機能を直接起動する必要があるシーンで、予め設定された提示アイコンを表示し、ユーザが指で押したか否かを検出する等の余分なステップを省略し、予め設定された指紋採取領域を高輝度光を発するように直接制御し、かつ指紋センサをトリガーする。本願の実施例に係る指紋採取制御方法は、具体的な適用シーンでの実際の要求を十分に考慮し、電子機器の表示画面及び他の関連部品、機能に影響しないという前提の下で、適切なタイミングで指紋採取機能を起動して、指紋画像を迅速に取得することを保証することができるため、超薄型指紋センサを表示画面の下方に集積するというハードウェア構造の正常な動作を可能にし、かつハードウェア統合コストを低減し、電子機器の外観を簡潔化し、ユーザ体験を向上させることができる。
【００４７】
本願の一つの実行可能な実施例において、上記ステップＳ２２１に記載の前記予め設定された指紋採取領域を予め設定された提示アイコンを表示するように制御することは、具体的には、前記予め設定された指紋採取領域を前記予め設定された提示アイコンを静的に表示するように制御することである。
本願の他の実行可能な実施例において、上記ステップＳ２２１に記載の前記予め設定された指紋採取領域を予め設定された提示アイコンを表示するように制御することは、具体的には、前記予め設定された指紋採取領域を前記予め設定された提示アイコンを動的に表示するように制御することである。
【００４８】
上述した前記予め設定された提示アイコンを動的に表示することは、前記予め設定された指紋採取領域を様々な異なるタイプの予め設定された提示アイコンを順に表示するように制御することであり、図６に示すように、予め設定された提示アイコンは、インタフェース６０１に示すような予め設定された図形、インタフェース６０２に示すような予め設定された画像、インタフェース６０３に示すような予め設定された文字等の様々なタイプを含む。それに応じて、予め設定された指紋採取領域が０．５秒（又は他の予め設定された間隔）ごとにアイコンタイプを一回変換するように制御することができる。もちろん、異なるタイプの予め設定された提示アイコンの表示順序は、予め設定されたデフォルト表示順序を採用するか又はユーザによってカスタマイズ設定することができる。
【００４９】
また、上述した前記予め設定された提示アイコンを動的に表示することは、前記予め設定された提示アイコンの輝度を動的に調整してもよく、或いは、異なるタイプの予め設定された提示アイコンを順に表示すると共に、各種の予め設定された提示アイコンの表示過程において、該予め設定された提示アイコンの輝度を調整してもよい。
上記実施例において、予め設定された指紋採取領域で予め設定された提示アイコンを動的に表示すると、ユーザの注意をより容易に喚起して、ユーザが指で押す位置を迅速に見つけることに役立つ。
【００５０】
図７を参照すると、本願の実施例に係る他の表示画面に基づく指紋採取制御方法において、指紋センサが指紋画像を採取するようにトリガーした後に、さらに以下のステップを含む。
Ｓ４、前記指紋センサによって採取された指紋画像が予め設定された品質基準を満たすか否かを判断する。
前記予め設定された品質基準は、前記指紋画像の面積、輝度及びコントラストのうちの少なくとも一つが予め設定された範囲を満たすことを含む。
Ｓ５、前記指紋画像が前記予め設定された品質基準を満たさないと、予め設定された調整操作を実行し、かつステップＳ３に戻り、即ち前記指紋センサが新しい指紋画像を採取するように再トリガーする。
【００５１】
具体的には、上述した、予め設定された調整操作を実行することは、前記予め設定された指紋採取領域の画面輝度を調整することと、前記指紋センサの露光時間を調整することと、前記指紋センサの利得係数を調整することとのうちの少なくとも一つを含む。露光時間が長ければ長いほど、指紋センサに入射した光量が多くなり、取得された指紋画像の輝度も高くなり、逆に、露光時間が短れば短いほど、取得された指紋画像の輝度が低くなる。利得係数が大きかれば大きいほど、指紋センサ中の光信号から変換して得られたアナログ信号の強度が強くなり、取得された指紋画像の輝度も高くなり、逆に、利得係数が小さければ小さいほど、取得された指紋画像の輝度が低くなる。
【００５２】
実際の適用過程において、ユーザが指で押す時、指の表面の乾湿度等の要素は、指紋センサによって採取された指紋画像の品質に影響し、例えば、採取された指紋画像は、暗すぎるか又は明るすぎるという現象があり、その中の指紋紋様が明晰ではなく、識別しにくい。指紋画像の品質が指紋画像に基づく身分認証過程に直接影響し、指紋画像の品質が悪すぎると、それに基づいて対応するユーザが正当なユーザであるか否かを判断しにくいため、本願の実施例では、ステップＳ３において指紋センサが指紋画像を採取するようにトリガーした後、さらにステップＳ４により、採取された指紋画像が予め設定された品質基準を満たすか否かを検出し、該予め設定された品質基準は、該指紋画像の面積が予め設定された面積の範囲にあるか否か、該指紋画像の輝度が予め設定された輝度の範囲にあるか否か、該指紋画像のコントラストが予め設定されたコントラストの範囲にあるか否か等を含み、かつ様々な精度要求に応じて、具体的な判断方法は、（１）指紋画像の面積、輝度、コントラストがいずれも対応の予め設定された範囲にない場合にのみ、該指紋画像が予め設定された品質基準を満たさないと判断する方法と、（２）面積、輝度、コントラストのうちのいずれか一つが対応の予め設定された範囲にない限り、該指紋画像が予め設定された品質基準を満たさないと判断する方法との二つの方法を含むが、これらに限定されない。
【００５３】
該指紋画像が予め設定された品質基準を満たさないと判断する場合、予め設定された品質基準を満たす指紋画像を取得するまで、ステップＳ５により指紋採取器が指紋画像を再採取するようにトリガーする。
従って、本願の実施例は、上記ステップＳ４及びＳ５を追加することにより、指の表面の乾湿度等の妨害要素のために、採取された指紋画像の品質が悪すぎる（予め設定された品質基準を満たさない）と、予め設定された品質基準を満たすまで、指紋画像を自動的に再採取するため、本願の実施例は、採取された指紋画像の明晰度を保証することができ、即ち指紋画像が高い品質を有することを保証することにより、身分認証結果が高い正確性を有することを保証する。
【００５４】
図８を参照すると、本願の実施例に係る他の表示画面に基づく指紋採取制御方法において、指紋センサが指紋画像を採取するようにトリガーした後、さらに以下のステップを含む。
Ｓ６、前記指紋画像にマッチングする、予め設定されたテンプレートが存在するか否かを判断し、そうであれば、ステップＳ７を実行し、そうでなければ、ステップＳ８を実行する。
Ｓ７、前記指紋画像にマッチングする、予め設定されたテンプレートが存在すると、前記電子機器が対応の予め設定された動作を実行するようにトリガーする。
【００５５】
本実施例のステップＳ６において、採取された指紋画像を予め設定されたテンプレートと比較し、該指紋画像にマッチングする、予め設定されたテンプレートが存在すると、対応するユーザが正当なユーザであり、即ち、ユーザの身分認証が合格したことを示すため、さらに前記電子機器が対応の予め設定された動作、例えば表示画面のアンロック、アカウントのログイン、オンラン決済の完了等を実行するようにトリガーする。
Ｓ８、前記指紋画像にマッチングする、予め設定されたテンプレートが存在しないと、マッチング失敗回数が予め設定された回数よりも小さいか否かを判断し、かつ前記マッチング失敗回数が予め設定された回数よりも小さい場合、ステップＳ３に戻り、即ち前記指紋センサが新しい指紋画像を採取するように再トリガーする。
【００５６】
ステップＳ６において、前記指紋画像にマッチングする、予め設定されたテンプレートが存在しないと判断すると、対応するユーザが正当なユーザではない可能性もあるし、該指紋画像の品質が悪すぎる可能性もあり、正当なユーザが指紋画像の品質が悪すぎるため、身分認証が合格できない（例えばユーザが間違えた指で押し、或いは指が乾燥／湿潤しすぎて高い品質の指紋画像を生成できない）ことを回避するために、本願の実施例は、ステップＳ８により、限られた一定の回数内に指紋画像を再採取することを許可することにより、不正なユーザが認証を無限回数試すことを回避するだけでなく、初回のマッチングが失敗した後に、指紋画像を再採取して再マッチングすることにより、正当なユーザを識別することを保証し、さらにステップＳ７に記載の予め設定された動作を実行することができる。
【００５７】
従って、本願の実施例では、採取された指紋画像を予め設定されたテンプレートとマッチングすることにより対応するユーザが正当なユーザであるか否かを認証する場合、マッチングが失敗すると、ユーザの指紋画像を再採取して予め設定されたテンプレートと再マッチングすると共に、マッチングが失敗した回数を制限することにより、不正なユーザが認証を無限回数試すことを回避するだけでなく、マッチングが失敗した後に、再マッチングにより、妨害要素を排除し、各正当なユーザを正確に識別することを保証することができる。
【００５８】
上記方法の実施例に対応して、本願の実施例は、例えばリードオンリーメモリ（Ｒｅａｄ−Ｏｎｌｙ  Ｍｅｍｏｒｙ：ＲＯＭ）、ランダムアクセスメモリ（Ｒａｎｄｏｍ−Ａｃｃｅｓｓ  Ｍｅｍｏｒｙ：ＲＡＭ）、磁気テープ、フロッピーディスク及び光学データ記憶装置等のコンピュータ記憶媒体であって、該コンピュータ記憶媒体にプログラムが記憶され、前記記憶媒体中のプログラムが電子機器（該電子機器が表示画面と、タッチ感知装置と、前記表示画面の予め設定された指紋採取領域の下方に取り付けられた指紋センサとを含む）のプロセッサによって実行されると、該電子機器が上記方法の実施例に記載の表示画面に基づく指紋採取制御方法の一部又は全部のステップを実行できるようにするコンピュータ記憶媒体をさらに提供する。
【００５９】
また、本願の実施例は、少なくとも表示画面と、タッチ感知装置と、前記表示画面の予め設定された指紋採取領域の下方に取り付けられた指紋センサとを含む電子機器に適用される表示画面に基づく指紋採取制御装置であって、プロセッサと、プロセッサが実行可能な命令を記憶するためのメモリとを含み、前記プロセッサは、前記メモリに記憶された実行可能な命令を呼び出すと、上記方法の実施例に記載の表示画面に基づく指紋採取制御方法の一部又は全部のステップを実行するように構成される表示画面に基づく指紋採取制御装置をさらに提供する。
図９は、本願の実施例に係る表示画面に基づく指紋採取制御装置の構成ブロック図であり、該装置は電子機器に適用され、該電子機器は、少なくとも表示画面と、前記表示画面の予め設定された指紋採取領域の下方に取り付けられた指紋センサとを含む。図９を参照すると、該装置は、トリガー命令検出手段１００、採取領域制御手段２００及び指紋採取トリガー手段３００を含む。
【００６０】
該トリガー命令検出手段１００は、ユーザ又はアプリケーションプログラムからの指紋採取トリガー命令を検出するように構成される。
該採取領域制御手段２００は、検出された前記指紋採取トリガー命令に基づいて、前記予め設定された指紋採取領域を発光させて指の表面を照らすように制御するように構成される。
該指紋採取トリガー手段３００は、前記採取領域制御手段が前記予め設定された指紋採取領域を発光させるように制御した後、前記指紋センサが指紋画像を採取するようにトリガーするように構成される。
【００６１】
以上の技術的解決手段から分かるように、本願の実施例に係る表示画面に基づく指紋採取制御装置は、トリガー命令検出手段が指紋採取トリガー命令をリアルタイムに検出することにより、指紋採取トリガー命令を検出する場合、即ち指紋採取を実行する必要のある場合に、かつその場合に限り、表示画面の予め設定された指紋採取領域を発光させるように制御し、かつ指紋センサが正常な動作状態に入るようにトリガーし、それに応じて、指紋採取トリガー命令が存在しないと、該予め設定された採取領域は、表示画面の他の領域と同様に黒画面状態にあるか又は現在のプログラムインタフェースを表示することができ、指紋センサは、非動作状態にあり、指紋採取機能によって消費された電子機器の電気量をできるだけ低減し、同時に、本願の実施例の採取領域制御手段の制御下で、表示画面上の予め設定された指紋採取領域のみが指紋採取過程に用いられるが、表示画面上の予め設定された採取領域以外の他の領域は、指紋採取過程による影響を受けず、依然として現在のシーンの表示ニーズに応じて、表示するか又は黒画面状態を維持し、即ち表示画面に基づく指紋採取過程において表示画面の元の表示又は黒画面状態に影響しないだけでなく、ユーザが正確に指で押すことを保証することにより、表示画面に基づく指紋採取過程において正確なヒューマンコンピューターインタラクションを保証し、指紋画像を正確で迅速に採取することができるため、超薄型指紋センサを表示画面の下方に集積するというハードウェア構造の正常な動作を可能にし、かつ、ハードウェア統合コストを低減し、電子機器の外観を簡潔化し、ユーザ体験を向上させることができる。
【００６２】
好ましくは、本願の実施例において、採取領域制御手段によって制御された、予め設定された指紋採取領域は、以上の図４Ａ、図４Ｂ、図４Ｃ及び図４Ｄのいずれか一つに示される領域を採用して、ユーザが指で押しやすい。
好ましくは、電子機器のタッチ感知装置に基づいて、本願の実施例において、トリガー命令検出手段によって検出された指紋採取トリガー命令は、表示画面起動及び身分認証命令、身分認証命令、第１の表示画面起動命令及び第２の表示画面起動命令のうちの少なくとも一種を含み、四種類の命令に関連する内容は、以上の方法の実施例の記載を参照することができるので、ここで重複して説明しない。
【００６３】
図１０は、本願の実施例に係る他の表示画面に基づく指紋採取制御装置であり、該装置は同様に電子機器に適用され、該電子機器は、表示画面と、タッチ感知装置と、前記表示画面の予め設定された指紋採取領域の下方に取り付けられた指紋センサとを含む。該装置は、トリガー命令検出手段１００、採取領域制御手段２００及び指紋採取トリガー手段３００を含む。
該トリガー命令検出手段１００は、ユーザ又はアプリケーションプログラムからの指紋採取トリガー命令を検出するように構成される。
該採取領域制御手段２００は、検出された前記指紋採取トリガー命令に基づいて、前記予め設定された指紋採取領域を発光させて指の表面を照らすように制御するように構成される。
【００６４】
該指紋採取トリガー手段３００は、前記採取領域制御手段が前記予め設定された指紋採取領域を発光させるように制御した後、前記指紋センサが指紋画像を採取するようにトリガーするように構成される。
トリガー命令検出手段１００によって検出された指紋採取トリガー命令は、表示画面起動及び身分認証命令、身分認証命令、第１の表示画面起動命令及び第２の表示画面起動命令のうちの少なくとも一種を含み、検出された指紋採取トリガー命令が異なると、採取領域制御手段２００の具体的な制御方法も異なる。
これに鑑みると、上記「表示画面起動及び身分認証命令」及び「身分認証命令」に対応して、採取領域制御手段２００は、
検出された前記指紋採取トリガー命令が前記表示画面起動及び身分認証命令又は前記身分認証命令であると、前記予め設定された指紋採取領域を高輝度光を発して指の表面を照らすように制御する第１の発光制御手段２１０を含む。
【００６５】
上記「第１の表示画面起動命令」及び「第２の表示画面起動命令」に対応して、採取領域制御手段２００は、
検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御する提示アイコン制御手段２２１と、
前記予め設定された提示アイコンを表示した後に、前記タッチ感知装置を用いてユーザが前記予め設定された指紋採取領域を指で押したか否かを判断する押し操作検出手段２２２と、
ユーザが前記予め設定された指紋採取領域を指で押したと判断すると、前記予め設定された指紋採取領域を高輝度光を発して指の表面を照らすように制御する第２の発光制御手段２２３とを含む。
【００６６】
以上の構造から分かるように、本願の実施例は、異なるタイプの指紋採取トリガー命令に基づいて、異なる適用シーンでの指紋採取過程に異なる制御方法を採用し、ユーザが指紋により表示画面をアンロックする必要があるか否かを決定できない場合、まず、予め設定された指紋採取領域を予め設定された提示アイコンを表示するように制御し、指紋採取過程に必要な高輝度光に対して、予め設定された提示アイコンの表示によって消費された電気量がより低く、かつ眩しくないため、電子機器の電気エネルギーを消費し過ぎることはないという前提の下で、ユーザに指で押す位置を指示し、また、指紋採取機能を直接起動する必要があるシーンで、予め設定された提示アイコンを表示し、ユーザが指で押したか否かを検出する等の余分なステップを省略し、予め設定された指紋採取領域を高輝度光を発するように直接制御し、かつ指紋センサをトリガーする。本願の実施例に係る指紋採取制御装置は、具体的な適用シーンでの実際の要求を十分に考慮し、電子機器の表示画面及び他の関連部品、機能に影響しないという前提の下で、適切なタイミングで指紋採取機能を起動して、指紋画像を迅速に取得することを保証することができるため、超薄型指紋センサを表示画面の下方に集積するというハードウェア構造の正常な動作を可能にし、かつハードウェア統合コストを低減し、電子機器の外観を簡潔化し、ユーザ体験を向上させることができる。
【００６７】
本願の一つの実行可能な実施例において、上記提示アイコン制御手段２２１は、提示アイコン静的制御手段及び提示アイコン動的制御手段のうちの少なくとも一種を含む。
前記提示アイコン静的制御手段は、検出された前記指紋採取トリガー命令が前記第１の表示画面起動命令又は前記第２の表示画面起動命令であると、前記予め設定された指紋採取領域を前記予め設定された提示アイコンを静的に表示するように制御する。
前記提示アイコン動的制御手段は、検出された前記指紋採取トリガー命令が前記第１の表示画面起動命令又は前記第２の表示画面起動命令であると、前記予め設定された提示アイコンの輝度を動的に調整する方式と、前記予め設定された指紋採取領域を様々な異なるタイプの予め設定された提示アイコンを順に表示するように制御する方式とのうちのいずれか一種の方式で、前記予め設定された指紋採取領域を前記予め設定された提示アイコンを動的に表示するように制御する。
【００６８】
上記実施例において、静的と動的の二種類の制御方式は、それぞれ優位性を有し、提示アイコン静的制御手段に基づく静的制御方式は、簡単で実現しやすく、提示アイコン動的制御手段に基づく動的制御方式は、ユーザの注意をより容易に喚起し、ユーザが指で押す位置を迅速に見つけることに役立つ。
図１１は、本願の実施例に係る表示画面に基づく指紋採取制御装置の構成ブロック図であり、該装置は、電子機器に適用され、該電子機器は、少なくとも表示画面と、前記表示画面の予め設定された指紋採取領域の下方に取り付けられた指紋センサとを含む。図１１を参照すると、該装置は、トリガー命令検出手段１００、採取領域制御手段２００、指紋採取トリガー手段３００、画像品質検出手段４００及び制御パラメータ調整手段５００を含む。
【００６９】
該トリガー命令検出手段１００は、ユーザ又はアプリケーションプログラムからの指紋採取トリガー命令を検出するように構成される。
該採取領域制御手段２００は、検出された前記指紋採取トリガー命令に基づいて、前記予め設定された指紋採取領域を発光させて指の表面を照らすように制御するように構成される。
該指紋採取トリガー手段３００は、前記採取領域制御手段が前記予め設定された指紋採取領域を発光させるように制御した後、前記指紋センサが指紋画像を採取するようにトリガーするように構成される。
【００７０】
該画像品質検出手段４００は、前記指紋画像が予め設定された品質基準を満たすか否かを判断するように構成され、前記予め設定された品質基準は、前記指紋画像の面積、輝度及びコントラストのうちの少なくとも一つが予め設定された範囲を満たすことを含む。
該制御パラメータ調整手段５００は、前記指紋画像が前記予め設定された品質基準を満たさないと、予め設定された調整操作を実行すると共に、前記指紋センサが指紋画像を採取するように再トリガーするように構成され、前記予め設定された調整操作を実行することは、前記予め設定された指紋採取領域の画面輝度を調整することと、前記指紋センサの露光時間を調整することと、前記指紋センサの利得係数を調整することとのうちの少なくとも一つを含む。
【００７１】
従って、以上の図９又は図１０に示される実施例に対して、本願の図１１に記載の実施例は、上記画像品質検出手段と制御パラメータ調整手段を追加することにより、採取された指紋画像が高い品質を有することを保証することにより、身分認証結果が高い正確性を有することを保証する。
【００７２】
図１２は、本願の実施例に係る表示画面に基づく指紋採取制御装置の構成ブロック図であり、該装置は、電子機器に適用され、該電子機器は、少なくとも表示画面と、前記表示画面の予め設定された指紋採取領域の下方に取り付けられた指紋センサとを含む。図１２を参照すると、該装置は、トリガー命令検出手段１００、採取領域制御手段２００、指紋採取トリガー手段３００、指紋画像マッチング手段６００及びマッチング失敗処理手段７００を含む。
【００７３】
該トリガー命令検出手段１００は、ユーザ又はアプリケーションプログラムからの指紋採取トリガー命令を検出するように構成される。
該採取領域制御手段２００は、検出された前記指紋採取トリガー命令に基づいて、前記予め設定された指紋採取領域を発光させて指の表面を照らすように制御するように構成される。
該指紋採取トリガー手段３００は、前記採取領域制御手段が前記予め設定された指紋採取領域を発光させるように制御した後、前記指紋センサが指紋画像を採取するようにトリガーするように構成される。
該指紋画像マッチング手段６００は、前記指紋画像にマッチングする、予め設定されたテンプレートが存在するか否かを判断し、前記指紋画像にマッチングする、予め設定されたテンプレートが存在すると、前記電子機器が対応の予め設定された操作を実行するようにトリガーするように構成される。
該マッチング失敗処理手段７００は、指紋画像マッチング手段６００が前記指紋画像にマッチングする、予め設定されたテンプレートが存在しないと判断すると、マッチング失敗回数が予め設定された回数よりも小さいか否かを判断し、かつ前記マッチング失敗回数が予め設定された回数よりも小さい場合、前記指紋センサが新しい指紋画像を採取するように再トリガーするように構成される。
【００７４】
従って、本願の実施例は、マッチング失敗処理手段を設置することにより、採取された指紋画像を予め設定されたテンプレートにマッチングして、対応するユーザが正当なユーザであるか否かを認証する場合、マッチングが失敗すると、ユーザの指紋画像を再採取して予め設定されたテンプレートと再マッチングすると共に、マッチングが失敗した回数を制限することにより、不正なユーザが認証を無限回数試すことを回避するだけでなく、マッチングが失敗した後に、再マッチングにより、妨害要素を排除し、各正当なユーザを正確に識別することを保証することができる。
上記実施例における装置について、その中の各モジュールが動作を実行する具体的な方式は、該方法に関する実施例において詳細に説明されたので、ここで詳細に説明しない。
【００７５】
また、本願の実施例は、表示画面と、タッチ感知装置と、前記表示画面の予め設定された指紋採取領域の下方に取り付けられた指紋センサと、以上のいずれか一つの実施例に記載の表示画面に基づく指紋採取制御装置とを含む電子機器をさらに提供する。例えば、該電子機器は、携帯電話、タブレット等である。
当業者であれば、明細書を考慮しここで開示した発明を実践すると、本願の他の実施形態を容易に想到し得る。本願は、本願の任意の変形、用途又は適応的変化をカバーすることを意図し、これらの変形、用途又は適応的変化は、本願の一般的な原理に従い、かつ本願に開示されていない本技術分野における周知技術及び慣用の技術的手段を含む。明細書及び実施例は、例示的なものに過ぎず、本願の本当の範囲及び精神は、以下の特許請求の範囲によって示される。
【００７６】
本願は、以上に説明されかつ図面に示された正確な構造に限定されず、かつその範囲から逸脱しない限り、様々な修正及び変更を行うことができると理解すべきである。本願の範囲は、その添付の特許請求の範囲によってのみ限定される。
【図１Ａ】
2018526702.tif 000003
【図１Ｂ】
2018526702.tif 000004
【図２】
2018526702.tif 000005
【図３】
2018526702.tif 000006
【図４Ａ】
2018526702.tif 000007
【図４Ｂ】
2018526702.tif 000008
【図４Ｃ】
2018526702.tif 000009
【図４Ｄ】
2018526702.tif 000010
【図４Ｅ】
2018526702.tif 000011
【図５】
2018526702.tif 000012
【図６】
2018526702.tif 000013
【図７】
2018526702.tif 000014
【図８】
2018526702.tif 000015
【図９】
2018526702.tif 000016
【図１０】
2018526702.tif 000017
【図１１】
2018526702.tif 000018
【図１２】
2018526702.tif 000019
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
少なくとも表示画面と、前記表示画面の予め設定された指紋採取領域の下方に取り付けられた指紋センサとを含む電子機器に適用される表示画面に基づく指紋採取制御方法であって、
ユーザ又はアプリケーションプログラムからの指紋採取トリガー命令を検出することと、
検出された前記指紋採取トリガー命令に基づいて、前記予め設定された指紋採取領域を発光させて指の表面を照らすように制御することと、
前記指紋センサが指紋画像を採取するようにトリガーすることとを含むことを特徴とする表示画面に基づく指紋採取制御方法。
【請求項２】
前記指紋採取トリガー命令は、
黒画面状態で、ユーザが前記電子機器の電源ボタン又はホームボタンを押したことを検出した場合に生成した第１の表示画面起動命令と、
黒画面状態で、タッチ感知装置がユーザが第１のタッチ操作を実行したことを検出した場合に生成した第２の表示画面起動命令と、
黒画面状態で、前記タッチ感知装置がユーザが第２のタッチ操作を実行したことを検出した場合に生成した表示画面起動及び身分認証命令と、
電子機器中のアプリケーションプログラムによって生成された身分認証命令とのうちの少なくとも一種を含み、
前記第１のタッチ操作は、前記表示画面を一回クリックすることと、前記表示画面を複数回連続でクリックすることと、前記表示画面を長時間タッチすることのうちのいずれか一種を含み、前記タッチ感知装置は、前記電子機器に設置されて、前記表示画面に対するユーザのタッチ操作を検出し、
前記第２のタッチ操作は、前記予め設定された指紋採取領域を一回クリックするか又は複数回連続でクリックすることと、前記予め設定された指紋採取領域を長時間タッチすることのうちのいずれか一種を含むことを特徴とする請求項１に記載の方法。
【請求項３】
検出された前記指紋採取トリガー命令に基づいて、前記予め設定された指紋採取領域を発光させるように制御することは、検出された前記指紋採取トリガー命令が前記表示画面起動及び身分認証命令又は前記身分認証命令であると、前記予め設定された指紋採取領域を高輝度光を発して指の表面を照らすように制御することを含むことを特徴とする請求項２に記載の方法。
【請求項４】
検出された前記指紋採取トリガー命令に基づいて、前記予め設定された指紋採取領域を発光させるように制御することは、
検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御することと、
前記タッチ感知装置を用いてユーザが前記予め設定された指紋採取領域を指で押したか否かを判断することと、
ユーザが前記予め設定された指紋採取領域を指で押したと判断すると、前記予め設定された指紋採取領域を高輝度光を発して指の表面を照らすように制御することとを含むことを特徴とする請求項２に記載の方法。
【請求項５】
前記予め設定された指紋採取領域を予め設定された提示アイコンを表示するように制御することは、
前記予め設定された指紋採取領域を前記予め設定された提示アイコンを静的に表示するように制御すること、又は前記予め設定された指紋採取領域を前記予め設定された提示アイコンを動的に表示するように制御することを含み、
前記予め設定された指紋採取領域を前記予め設定された提示アイコンを動的に表示するように制御することは、
前記予め設定された提示アイコンの輝度を動的に調整することと、
前記予め設定された指紋採取領域を様々な異なるタイプの予め設定された提示アイコンを順に表示するように制御することとのうちの少なくとも一種を含むことを特徴とする請求項４に記載の方法。
【請求項６】
前記予め設定された提示アイコンのタイプは、予め設定された図形、予め設定された画像及び予め設定された文字のうちの少なくとも一種を含むことを特徴とする請求項５に記載の方法。
【請求項７】
前記予め設定された指紋採取領域は、
表示画面の下部中間にあると共に仮想ボタン位置と重なる第１の領域と、
右手の親指の探索ホットエリア内の第２の領域と、
左手の親指の探索ホットエリア内の第３の領域と、
右手の親指の探索ホットエリアと左手の親指の探索ホットエリアの共通領域とのうちの少なくとも一種の位置を含み、
前記右手の親指の探索ホットエリアは、右手で機器を持つ場合に、右手の親指が自然に曲がって指の腹が画面にタッチした状態でタッチしやすい領域を示し、
前記左手の親指の探索ホットエリアは、左手で機器を持つ場合に、左手の親指が自然に曲がって指の腹が画面にタッチした状態でタッチしやすい領域を示すことを特徴とする請求項１に記載の方法。
【請求項８】
前記指紋センサによって採取された指紋画像が予め設定された品質基準を満たすか否かを判断することと、
前記指紋画像が前記予め設定された品質基準を満たさないと、予め設定された調整操作を実行すると共に、前記指紋センサが新しい指紋画像を採取するように再トリガーすることとをさらに含み、
前記予め設定された品質基準は、前記指紋画像の面積、輝度及びコントラストのうちの少なくとも一つが予め設定された範囲を満たすことを含み、
前記予め設定された調整操作を実行することは、
前記予め設定された指紋採取領域の画面輝度を調整することと、
前記指紋センサの露光時間を調整することと、
前記指紋センサの利得係数を調整することとのうちの少なくとも一つを含むことを特徴とする請求項１に記載の方法。
【請求項９】
さらに、前記指紋画像にマッチングする、予め設定されたテンプレートが存在するか否かを判断することと、
前記指紋画像にマッチングする、予め設定されたテンプレートが存在すると、前記電子機器が対応の予め設定された操作を実行するようにトリガーすることと、
前記指紋画像にマッチングする、予め設定されたテンプレートが存在しないと、マッチング失敗回数が予め設定された回数よりも小さいか否かを判断し、前記マッチング失敗回数が予め設定された回数よりも小さい場合、前記指紋センサが新しい指紋画像を採取するように再トリガーすることとを含むことを特徴とする請求項１に記載の方法。
【請求項１０】
少なくとも表示画面と、タッチ感知装置と、前記表示画面の予め設定された指紋採取領域の下方に取り付けられた指紋センサとを含む電子機器に適用される表示画面に基づく指紋採取制御装置であって、
プロセッサと、プロセッサが実行可能な命令を記憶するためのメモリとを含み、
前記プロセッサは、前記メモリに記憶された実行可能な命令を呼び出すと、請求項１に記載の表示画面に基づく指紋採取の制御方法を実行するように構成されることを特徴とする表示画面に基づく指紋採取制御装置。
【請求項１１】
少なくとも表示画面と、前記表示画面の予め設定された指紋採取領域の下方に取り付けられた指紋センサとを含む電子機器に適用される表示画面に基づく指紋採取制御装置であって、
ユーザ又はアプリケーションプログラムからの指紋採取トリガー命令を検出するトリガー命令検出手段と、
検出された前記指紋採取トリガー命令に基づいて、前記予め設定された指紋採取領域を発光させて指の表面を照らすように制御する採取領域制御手段と、
前記採取領域制御手段が前記予め設定された指紋採取領域を発光させるように制御した後、前記指紋センサが指紋画像を採取するようにトリガーする指紋採取トリガー手段とを含むことを特徴とする表示画面に基づく指紋採取制御装置。
【請求項１２】
前記トリガー命令検出手段によって検出された指紋採取トリガー命令は、
黒画面状態で、ユーザが前記電子機器の電源ボタン又はホームボタンを押したことを検出した場合に生成した第１の表示画面起動命令と、
黒画面状態で、タッチ感知装置がユーザが第１のタッチ操作を実行したことを検出した場合に生成した第２の表示画面起動命令と、
黒画面状態で、前記タッチ感知装置がユーザが第２のタッチ操作を実行したことを検出した場合に生成した表示画面起動及び身分認証命令と、
電子機器中のアプリケーションプログラムによって生成された身分認証命令とのうちの少なくとも一種を含み、
前記第１のタッチ操作は、前記表示画面を一回クリックすることと、前記表示画面を複数回連続でクリックすることと、前記表示画面を長時間タッチすることのうちのいずれか一種を含み、前記タッチ感知装置は、前記電子機器に設置されて、前記表示画面に対するユーザのタッチ操作を検出し、
前記第２のタッチ操作は、前記予め設定された指紋採取領域を一回クリックするか又は複数回連続でクリックすることと、前記予め設定された指紋採取領域を長時間タッチすることのうちのいずれか一種を含むことを特徴とする請求項１１に記載の装置。
【請求項１３】
前記採取領域制御手段は、
検出された前記指紋採取トリガー命令が前記表示画面起動及び身分認証命令又は前記身分認証命令であると、前記予め設定された指紋採取領域を高輝度光を発して指の表面を照らすように制御する第１の発光制御手段を含むことを特徴とする請求項１２に記載の装置。
【請求項１４】
前記採取領域制御手段は、
検出された前記指紋採取トリガー命令が前記第１の表示画面起動命令又は前記第２の表示画面起動命令であると、前記指紋採取領域を予め設定された提示アイコンを表示してユーザに指で押すこと及び指で押す位置を提示するように制御する提示アイコン制御手段と、
前記予め設定された提示アイコンを表示した後、前記タッチ感知装置を用いてユーザが前記予め設定された指紋採取領域を指で押したか否かを判断する押し操作検出手段と、
ユーザが前記予め設定された指紋採取領域を指で押したと判断すると、前記予め設定された指紋採取領域を高輝度光を発して指の表面を照らすように制御する第２の発光制御手段とを含むことを特徴とする請求項１２に記載の装置。
【請求項１５】
前記提示アイコン制御手段は、提示アイコン静的制御手段及び提示アイコン動的制御手段を含み、
前記提示アイコン静的制御手段は、検出された前記指紋採取トリガー命令が前記第１の表示画面起動命令又は前記第２の表示画面起動命令であると、前記予め設定された指紋採取領域を前記予め設定された提示アイコンを静的に表示するように制御し、
前記提示アイコン動的制御手段は、検出された前記指紋採取トリガー命令が前記第１の表示画面起動命令又は前記第２の表示画面起動命令であると、前記予め設定された提示アイコンの輝度を動的に調整する方式と、前記予め設定された指紋採取領域を様々な異なるタイプの予め設定された提示アイコンを順に表示するように制御する方式とのうちのいずれか一種の方式で、前記予め設定された指紋採取領域を前記予め設定された提示アイコンを動的に表示するように制御することを特徴とする請求項１４に記載の装置。
【請求項１６】
前記表示画面上の予め設定された指紋採取領域は、
表示画面の下部中間にあると共に仮想ボタン位置と重なる第１の領域と、
右手の親指の探索ホットエリア内の第２の領域と、
左手の親指の探索ホットエリア内の第３の領域と、
右手の親指の探索ホットエリアと左手の親指の探索ホットエリアの共通領域とのうちの少なくとも一種の位置を含み、
前記右手の親指の探索ホットエリアは、右手で機器を持つ場合に、右手の親指が自然に曲がって指の腹が画面にタッチした状態でタッチしやすい領域を示し、
前記左手の親指の探索ホットエリアは、左手で機器を持つ場合に、左手の親指が自然に曲がって指の腹が画面にタッチした状態でタッチしやすい領域を示すことを特徴とする請求項１１に記載の装置。
【請求項１７】
前記指紋画像が予め設定された品質基準を満たすか否かを判断する画像品質検出手段と、
前記指紋画像が前記予め設定された品質基準を満たさないと、予め設定された調整操作を実行すると共に、前記指紋センサが指紋画像を採取するように再トリガーする制御パラメータ調整手段とをさらに含み、
前記予め設定された品質基準は、前記指紋画像の面積、輝度及びコントラストのうちの少なくとも一つが予め設定された範囲を満たすことを含み、
前記予め設定された調整操作を実行することは、
前記予め設定された指紋採取領域の画面輝度を調整することと、
前記指紋センサの露光時間を調整することと、
前記指紋センサの利得係数を調整することとのうちの少なくとも一つを含むことを特徴とする請求項１１に記載の装置。
【請求項１８】
前記指紋画像にマッチングする、予め設定されたテンプレートが存在するか否かを判断し、前記指紋画像にマッチングする、予め設定されたテンプレートが存在すると、前記電子機器が対応の予め設定された操作を実行するようにトリガーする指紋画像マッチング手段と、
前記指紋画像マッチング手段が前記指紋画像にマッチングする、予め設定されたテンプレートが存在しないと判断すると、マッチング失敗回数が予め設定された回数よりも小さいか否かを判断し、前記マッチング失敗回数が予め設定された回数よりも小さい場合、前記指紋センサが新しい指紋画像を採取するように再トリガーするマッチング失敗処理手段とをさらに含むことを特徴とする請求項１１に記載の装置。
【国際調査報告】
2018526702.tif 000020
2018526702.tif 000021
2018526702.tif 000022
2018526702.tif 000023